【事件の表示】
　特願２０１４−１９０４３６号「遊技機」拒絶査定不服審判事件〔平成２８年　４月２５日出願公開、特開２０１６−　５９６２９号〕について、次のとおり審決する。
【結　論】
　本件審判の請求は、成り立たない。
【理　由】
第１　手続の経緯
　本願は、平成２６年９月１８日付けで出願され、平成２６年１０月２９日付けで拒絶理由通知がなされ、平成２６年１２月２日付けで意見書及び手続補正書が提出され、平成２７年２月２０日付けで拒絶理由通知がなされ、平成２７年４月１３日付けで意見書及び手続補正書が提出され、平成２７年６月２６日付け（発送日：平成２７年７月２日）で平成２７年４月１３日付け手続補正に対する補正の却下の決定がなされるとともに拒絶査定がなされ、これに対して平成２７年１０月２日に拒絶査定不服審判が請求されるとともに手続補正がなされ、これに対して平成２７年１０月２６日付けで前置報告がなされたものである。
第２　平成２７年１０月２日付けの手続補正についての補正却下の決定
　
［補正却下の決定の結論］
　平成２７年１０月２日付けの手続補正（以下、本件補正という）を却下する。
［理由］
　１．本件補正の概要
　本件補正は特許請求の範囲の請求項１及び請求項２の記載の補正を含む補正であり、そして、特許請求の範囲の請求項２の記載は、
　補正前（平成２６年１２月２日付け手続補正）の
「【請求項２】
複数の図柄が外周に配置された複数の回胴を回転させる図柄表示ゲームで役を決定し、複数の回胴に対応して設けられた停止スイッチが操作されると、対応する回胴を停止させ、全ての回胴が停止したときに導出された図柄の表示結果に応じて入賞が発生する遊技機において、
前記図柄表示ゲームに関する各種映像演出を行う表示演出装置と、
前記表示演出装置と別個に設けられ、前記複数の回胴を用いた演出中であるか否かを点灯又は消灯することにより表示する演出中表示部と、
前記複数の回胴を回転させる制御及び回転している回胴を停止させる制御を行う制御手段と、
を具備し、
前記図柄表示ゲームを開始してから前記複数の回胴のいずれか一つに図柄の表示結果が導出されるより前の期間において、前記演出中表示部が点灯することにより演出中であることを表示し、前記回胴が演出の為に回転している状態では、前記停止スイッチが操作されると、前記制御手段は対応する回胴を仮停止させる制御を行う一方、該演出が終了し、前記演出中表示部が消灯した状態では、前記制御手段は前記複数の回胴の回転が所定速度になるように制御し、この回転状態で前記停止スイッチが操作されると、対応する回胴を停止させる制御を行って、図柄の表示結果を導出すること、
を特徴とする遊技機。」
から、
　補正後（本件補正である平成２７年１０月２日付け手続補正）の
「【請求項２】
複数の図柄が外周に配置された複数の回胴を回転させる図柄表示ゲームで役を決定し、複数の回胴に対応して設けられた停止スイッチが操作されると、対応する回胴を停止させ、全ての回胴が停止したときに導出された図柄の表示結果に応じて入賞が発生する遊技機において、
前記図柄表示ゲームに関する各種映像演出を行う表示演出装置と、
前記表示演出装置と別個に設けられ、前記複数の回胴を用いた
リール
前記複数の回胴を回転させる制御及び回転している回胴を停止させる制御を行う制御手段と、
を具備し、
前記図柄表示ゲームを開始してから前記複数の回胴のいずれか一つに図柄の表示結果が導出されるより前の期間において、前記演出中表示部が点灯することにより
リール
リール
て、前記複数の回胴が上下に微動を続ける
リール
を特徴とする遊技機。」
へ補正された（下線は補正箇所を示す）。
　２．補正の適否
 上記補正事項は、「複数の回胴を用いた演出」を「複数の回胴を用いたリール演出」に、「演出中であることを表示」を「リール演出中であることを表示」に、「回胴が演出の為に」を「回胴がリール演出の為に」に、「対応する回胴を仮停止させる制御」を「対応する回胴を仮停止させて、前記複数の回胴が上下に微動を続ける制御」に、「該演出が終了し」を「該リール演出が終了し」に限定したものである。 
　また、補正後の請求項２に記載された発明は、補正前の請求項２に記載された発明と、産業上の利用分野及び解決しようとする課題が同一である。 
　よって、本件補正は、特許法第１７条の２第５項第２号に規定する限定的減縮を目的とするものに該当する。
　
　そして、本件補正は新規事項を追加するものではない。
　
　３．独立特許要件
　本件補正後の請求項２に記載された発明（以下「本件補正発明」という。）が特許出願の際独立して特許を受けることができるものであるか否か（特許法第１７条の２第６項において準用する同法第１２６条第７項の規定に適合するか）について以下に検討する。
　（１）原査定の拒絶の理由において提示された、本願出願前に日本国内において頒布された刊行物である特開２０１４−１２４４１８号公報（以下、刊行物１という）には以下の記載がある。（下線は合議体が審決にて付した。以下、同じ）
　ア　「【０００１】
　
本発明は、回転している複数のリールが停止されたときに表示された図柄の組合せによって遊技の結果が定まるスロットマシンに関する
　イ　「【００３０】
［外観構造の説明］
　本発明の実施形態に係るスロットマシン１０の外観を図１に示す。図１は、スロットマシン１０の正面図であり、同図において、
スロットマシン１０の筐体の前面部には、フロントパネル２０が設けられている
スロットマシン１０の内部に回転自在に設けられている３個のリール４０Ｌ，４０Ｃ及び４０Ｒの外周面に印刷された図柄が表示される。
各リールに印刷された２１個の図柄
【００３１】
　また、表示窓２２には、リール４０Ｌ，４０Ｃ及び４０Ｒの各中断Ｍを横切る１本の入賞ラインＬが定められている。この入賞ラインＬは、予め定められた複数種類の役（後述する）に対応する図柄組合せが停止表示されたか否かを判定する際の基準となるラインである。すなわち、
リール４０Ｌ，４０Ｃ及び４０Ｒが停止したときに、入賞ラインＬが通過する停止表示位置（各リールの中段Ｍ）に停止表示された３つの図柄からなる組合せがいずれかの役に対応していたときに、その役が入賞したことになる。
【００３７】
　操作パネル部３０の正面左側には、スタートスイッチ３６が傾動可能に設けられている。スタートスイッチ３６は、遊技者がスロットマシン１０に規定枚数のメダルを投入すると操作が有効となる。なお、単位遊技で後述する再遊技役が入賞したときは、メダルが投入されなくても、ベット数表示ランプ２６ａ，２６ｂ，２６ｃが規定枚数分だけ点灯し、次の単位遊技のための、スタートスイッチ３６の操作が有効となる。この状態で
遊技者がスタートスイッチ３６を傾動操作すると、前述した３つのリール４０Ｌ，４０Ｃ及び４０Ｒが一斉に回転を開始する
【００３８】
　操作パネル部３０の正面中央部には、３つのストップスイッチ３７Ｌ，３７Ｃ及び３７Ｒが設けられている。ここで、ストップスイッチ３７Ｌ，３７Ｃ及び３７Ｒは、いわゆる自照式の押しボタンスイッチであり、押しボタンの部分が複数色に発光し得る構造になっている。また、
左ストップスイッチ３７Ｌは左リール４０Ｌに対応し、中ストップスイッチ３７Ｃは中リール４０Ｃに対応し、右ストップスイッチ３７Ｒは右リール４０Ｒに対応している。ストップスイッチ３７Ｌ，３７Ｃ及び３７Ｒは、３つのリール４０Ｌ，４０Ｃ及び４０Ｒの回転速度が所定の定常回転速度
に達したときに、遊技者による操作が有効となる
【００３９】
　そして、
遊技者が左ストップスイッチ３７Ｌを押動操作したときには、左リール４０Ｌが停止し、中ストップスイッチ３７Ｃを押動操作したときには、中リール４０Ｃが停止し、右ストップスイッチ３７Ｒを押動操作したときには、右リール４０Ｒが停止する。
【００４２】
　
フロントパネル２０の上方には
表示装置７０が設けられている
この表示装置７０は、
単位遊技中に表示される演出画像、役抽選の結果を報知するための演出画像、単位遊技の進行
に応じた演出画像等を表示したりすることができる
　ウ　「【００５０】
［制御回路の説明］
　次に、
図３に示す機能ブロック図を参照して
スロットマシン１０の制御回路は、主制御回路１００と副制御回路２００とによって構成されており、主制御回路１００は、スロットマシン１０における単位遊技の制御を行い、
【００５１】
＜主制御回路の機能ブロック＞
　次に、主制御回路１００の機能ブロックについて説明する。
主制御回路１００は、役抽選手段１１０と、リール制御手段１２０
を含んでいる
【００５２】
＜役抽選手段の説明＞
　
役抽選手段１１０は、遊技者によるスタートスイッチ３６の操作に応じて
予め定められた役のうちいずれか１つまたは複数の役を当選した役（当選役）とするか否かを定めるものである。
入賞ラインＬに沿って停止表示された図柄組合せが、役抽選によって当選役に定められた役の図柄合せと一致すると、その役が入賞したことになる
　エ　「【００６０】
＜リール制御手段の説明＞
　図３に戻り、
リール制御手段１２０は、リール４０Ｌ，４０Ｃ，４０Ｒの回転駆動に関する制御を行う
【００６１】
　
リール停止制御手段１２２は、ストップスイッチ３７Ｌ，３７Ｃ，３７Ｒの操作が有効になった後、遊技者によっていずれかのストップスイッチが操作されると、操作されたストップスイッチに対応するリールの停止制御を行う。
通常遊技中は、操作されたストップスイッチに対応するリールの回転を
停止させる制御を行う。
　オ　「【０１８３】
＜擬似遊技演出が行われないとき＞
　まず、
図１７（ａ）に示す様に、擬似遊技演出が行われないときは
単位遊技におけるリール回転制御
が行われて、各リールが一斉に回転を開始する
各リールの回転速度が定速（約８０回転／分）に達すると、各ストップスイッチは操作受付状態となり
【０１８４】
　そして、
この状態で左ストップスイッチ３７Ｌが第１停止操作されると
左リール４０Ｌの停止制御
が行われ、
その回転が停止する。以下、中ストップスイッチ３７Ｃが第２停止操作され、右ストップスイッチ３７Ｒが第３停止操作されるごとに
対応するリールについて、左リール３７Ｌと同様の停止制御
が行われる
　カ　「【０１８６】
＜擬似遊技演出が行われるとき＞
　次に、図１７（ｂ）に示す様に、例えば、遷移パターン２の
擬似遊技演出
が行われる場合は、単位遊技においてスタートスイッチ３６が操作されると
、役抽選
が行われた後、擬似遊技演出処理
が行われ
。
【０１８７】
　これにより、まず
全リールの回転が開始され
中ストップスイッチ３７Ｃが操作されると
中リール４０Ｃにおける図柄番号「０」の「ブランク」図柄が入賞ラインＬ上に停止表示される
この状態で中リール４０Ｃが小刻みに上下動し（以下、揺れ変動という）
【０１８８】
　
次いで、左ストップスイッチ３７Ｌが第２停止操作されると
左リール４０Ｌにおける図柄番号「０」の「ベル」図柄が入賞ラインＬ上に停止表示される
右ストップスイッチ３７Ｒが第３停止操作されると
右リール４０Ｒにおける図柄番号「０」の「ベル」図柄が入賞ラインＬ上に停止表示される
左リール４０Ｌおよび右リール４０Ｒが停止したときは、中リール４０Ｃと同様、揺れ変動が行われる
【０１８９】
　そして、擬似遊技演出番号ＰＤが「２」から「４」（擬似遊技演出Ｂ）に更新され（図１３のステップＳ２２８，ＹＥＳ→Ｓ２３０）、ベットスイッチ３４，３５およびスタートスイッチ３６の操作を経て（図１２のステップＳ１８２，ＹＥＳ→Ｓ１８８，ＹＥＳ）、全リールが再び回転させられる（図１２のステップＳ１９２，ＮＯ→Ｓ１３２）。このとき、擬似遊技演出番号ＰＤが「４」であるため（図１２のステップＳ１３４，ＮＯ）、図１５の処理へ移行する。
【０１９０】
　そして、各リールの回転速度が約９０回転／分に達して、ストップスイッチ３７Ｌ，３７Ｃ，３７Ｒの発光色が赤から紫へ変化し、
左ストップスイッチ３７Ｌが第１停止操作されると
左リール４０Ｌにおける図柄番号「９」の「赤セブン」図柄が、揺れ変動を伴って入賞ラインＬ上に停止表示される
右ストップスイッチ３７Ｒが第２操作されると
右リール４０Ｒにおける図柄番号「９」の「赤セブン」図柄が、揺れ変動を伴って入賞ラインＬ上に停止表示される
【０１９１】
　また、第２停止操作（ｘ＝２）が行われたため、再びストップスイッチが操作されたか否かを判断して（図１５のステップＳ２９６，ＮＯ→Ｓ２９８→Ｓ２８２）、次に
中ストップスイッチ３７Ｒが第３操作されると
中リール４０Ｃにおける図柄番号「９」の「赤セブン」図柄が、揺れ変動を伴って入賞ラインＬ上に停止表示される
　キ　「【０１９２】
　そして、ベットスイッチ３４，３５およびスタートスイッチ３６の操作が行われると（図１２のステップＳ１８２，ＹＥＳ→Ｓ１８８，ＹＥＳ）、擬似遊技演出番号ＰＤが「０」であることから、
クリア処理が行われ
擬似遊技演出制御処理が終了する。このクリア処理によって、各リールの揺れ変動が停止し
リール回転制御が行われ
【０１９３】
　そして、
全てのリールが定速に達すると
ストップスイッチの操作受付状態となる。
図１７（ａ）を参照して説明したように、操作されたストップスイッチに対応するリールの停止制御を行い
　ク　「【０２１６】
（１０）その他の制御について
　図１７（ｂ）に示した擬似遊技演出中の状態では、ストップスイッチの操作受付状態になると、ストップスイッチが通常の単位遊技中と異なる色（紫色）で発光していたが、これと同様に、擬似遊技演出中に各種の役に対応する図柄組合せが停止表示されたときは、通常の単位遊技中にそれらと同じ図柄組合せが停止表示されたときと同じ演出（例えば、筐体に設けられた演出用ランプおよびリールバックランプの点滅パターンや発光色、入賞時やメダル投入時の演出音など）を行ってもよいが、異なる態様で演出を行うようにしてもよい。また、
擬似遊技演出が行われている間のみ点灯する専用のランプなどを設け
　ケ　上記アの【０００１】の「本発明は、
回転している複数のリールが停止されたときに表示された図柄の組合せによって遊技の結果が定まるスロットマシン
スロットマシン１０の内部に回転自在に設けられている３個のリール４０Ｌ，４０Ｃ及び４０Ｒの外周面に印刷された図柄が表示される
各リールに印刷された２１個の図柄
遊技者がスタートスイッチ３６を傾動操作すると、前述した３つのリール４０Ｌ，４０Ｃ及び４０Ｒが一斉に回転を開始する
スロットマシン１０の制御回路は主制御回路１００・・・によって構成されており
主制御回路１００は、役抽選手段１１０と、リール制御手段１２０と、・・・を含んでいる
役抽選手段１１０は、遊技者によるスタートスイッチ３６の操作に応じて、・・・、予め定められた役のうちいずれか１つまたは複数の役を当選した役（当選役）とするか否かを定めるものである
「回転している複数のリールが停止されたとき表示された図柄の組み合わせによって遊技の結果が定まるスロットマシン１０」は「遊技者がスタートスイッチ３６を傾動操作すると２１種類の図柄が外周面に印刷されたリール４０Ｌ，４０Ｃ及び４０Ｒが回転し、役抽選手段１１０により、スタートスイッチ３６の操作に応じて予め定められた役のうちいずれか１つまたは複数の役を当選した役とするか否かを定めるものであ」ることがいえる。
　また、上記イの【００３８】の「
左ストップスイッチ３７Ｌは左リール４０Ｌに対応し、中ストップスイッチ３７Ｃは中リール４０Ｃに対応し、右ストップスイッチ３７Ｒは右リール４０Ｒに対応している。ストップスイッチ３７Ｌ，３７Ｃ及び３７Ｒは、３つのリール４０Ｌ，４０Ｃ及び４０Ｒの回転速度が所定の定常回転速度・・・に達したときに、遊技者による操作が有効となる
遊技者が左ストップスイッチ３７Ｌを押動操作したときには、左リール４０Ｌが停止し、中ストップスイッチ３７Ｃを押動操作したときには、中リール４０Ｃが停止し、右ストップスイッチ３７Ｒを押動操作したときには、右リール４０Ｒが停止する
リール４０Ｌ，４０Ｃ及び４０Ｒが停止したときに、入賞ラインＬが通過する停止表示位置（各リールの中段Ｍ）に停止表示された３つの図柄からなる組合せがいずれかの役に対応していたときに、その役が入賞したことになる。
通常遊技中は、操作されたストップスイッチに対応するリールの回転を・・・停止させる制御を行う
「リール４０Ｌ，４０Ｃ及び４０Ｒの回転速度が所定の定常回転速度に達したときにストップスイッチ３７Ｌ，３７Ｃ，３７Ｒの遊技者による操作が有効となり、遊技者がストップスイッチ３７Ｌ，３７Ｃ，３７Ｒを押動操作した時には、通常遊技中は、操作されたストップスイッチに対応するリールの回転を停止させる制御を行ってリール４０Ｌ，４０Ｃ及び４０Ｒが停止し、停止した時に入賞ラインＬが通過する停止表示位置に停止表示された３つの図柄からなる組み合わせが何れかの役に対応していた時にその役が入賞したことになる」ことがいえる。
　
　コ　上記イの【００３０】の「
スロットマシン１０の筐体の前面部には、フロントパネル２０が設けられている
フロントパネル２０の上方には、
表示装置７０が設けられている
この表示装置７０は、
単位遊技中に表示される演出画像、役抽選の結果を報知するための演出画像、単位遊技の進行
に応じた演出画像等を表示したりすることができる
「スロットマシン１０は単位遊技中に表示される演出画像、役抽選の結果を報知するための演出画像、単位遊技の進行に応じた演出画像等を表示する表示装置７０を備える」ことが、
上記クの【０２１６】の「
擬似遊技演出が行われている間のみ点灯する専用のランプなどを設け
上記エの【００６０】の「
リール制御手段１２０は、リール４０Ｌ，４０Ｃ，４０Ｒの回転駆動に関する制御を行う
リール停止制御手段１２２は、ストップスイッチ３７Ｌ，３７Ｃ，３７Ｒの操作が有効になった後、遊技者によっていずれかのストップスイッチが操作されると、操作されたストップスイッチに対応するリールの停止制御を行う。
スロットマシン１０は「単位遊技中に表示される演出画像、役抽選の結果を報知するための演出画像、単位遊技の進行に応じた演出画像等を表示する表示装置７０と、
表示装置７０とは別個に設けられ、擬似遊技演出が行われている間のみ点灯する専用のランプと、
リール４０Ｌ，４０Ｃ，４０Ｒの回転駆動に関する制御を行うリール制御手段１２０と、リール制御手段１２０含まれ、リールの停止制御を行うリール停止制御手段１２２と、を備えること」がいえる。
　サ　上記カの【０１８６】の「
擬似遊技演出が行われる場合は、単位遊技においてスタートスイッチ３６が操作され、役抽選が行われた後、擬似遊技演出処理が行われ」
全リールの回転が開始され、中ストップスイッチ３７Ｃが操作されると中リール４０Ｃにおける図柄番号「０」の「ブランク」図柄が入賞ラインＬ上に停止表示され、この状態で中リール４０Ｃが小刻みに上下動し（以下、揺れ変動という）
次いで、左ストップスイッチ３７Ｌが第２停止操作されると左リール４０Ｌにおける図柄番号「０」の「ベル」図柄が入賞ラインＬ上に停止表示され、右ストップスイッチ３７Ｒが第３停止操作されると右リール４０Ｒにおける図柄番号「０」の「ベル」図柄が入賞ラインＬ上に停止表示され、左リール４０Ｌおよび右リール４０Ｒが停止したときは、中リール４０Ｃと同様、揺れ変動が行われる。
「擬似遊技演出が行われる場合は、単位遊技においてスタートスイッチ３６が操作され、役抽選が行われた後、擬似遊技演出処理が行われ、全リールの回転が開始され、ストップスイッチ３７Ｌ，３７Ｃ，３７Ｒが操作されると、リール４０Ｌ，４０Ｃ，４０Ｒにおける図柄が入賞ラインＬ上に停止表示され、小刻みに上下動し（以下、揺れ変動という）」ていること、がいえる。
　シ　上記キの【０１９２】の「
クリア処理が行われ
擬似遊技演出制御処理が終了する。このクリア処理によって、各リールの揺れ変動が停止し
リール回転制御が行われ
全てのリールが定速に達すると
ストップスイッチの操作受付状態となる。
図１７（ａ）を参照して説明したように、操作されたストップスイッチに対応するリールの停止制御を行い
図１７（ａ）に示す様に、擬似遊技演出が行われないときは単位遊技におけるリール回転制御
が行われて、各リールが一斉に回転を開始する
各リールの回転速度が定速（約８０回転／分）に達すると、各ストップスイッチは操作受付状態となり
この状態で左ストップスイッチ３７Ｌが第１停止操作されると
左リール４０Ｌの停止制御
が行われ、１９０ミリ秒以内にその回転が停止する。以下、中ストップスイッチ３７Ｃが第２停止操作され、右ストップスイッチ３７Ｒが第３停止操作されるごとに
対応するリールについて、左リール３７Ｌと同様の停止制御
が行われる
リール４０Ｌ，４０Ｃ及び４０Ｒが停止したときに、入賞ラインＬが通過する停止表示位置（各リールの中段Ｍ）に停止表示された
「クリア処理が行われ、擬似遊技演出制御処理が終了し、各リールの揺れ変動が停止すると、リールの回転制御が行われ、それぞれのリールが回転を開始してから全てのリールが定速に達すると、ストップスイッチの操作受付状態となり、ストップスイッチ３７Ｌ，３７Ｃ，３７Ｒが停止操作されると、リール４０Ｌ，４０Ｃ，４０Ｒの停止制御が行われ、その回転が停止し、停止した時に入賞ラインＬが通過する停止表示位置に停止表示され」ることがいえる。
　上記ア〜クの記載事項及び上記ケ〜シの認定事項から、刊行物１には、
「回転している複数のリールが停止されたとき表示された図柄の組み合わせによって遊技の結果が定まるスロットマシン１０であり、遊技者がスタートスイッチ３６を傾動操作すると２１種類の図柄が外周面に印刷されたリール４０Ｌ，４０Ｃ及び４０Ｒが回転し、役抽選手段１１０により、スタートスイッチ３６の操作に応じて予め定められた役のうちいずれか１つまたは複数の役を当選した役とするか否かを定めるものであり、リール４０Ｌ，４０Ｃ及び４０Ｒの回転速度が所定の定常回転速度に達したときに、遊技者がストップスイッチ３７Ｌ，３７Ｃ，３７Ｒの遊技者による操作が有効となり、ストップスイッチ３７Ｌ，３７Ｃ，３７Ｒを押動操作した時には、通常遊技中は、操作されたストップスイッチに対応するリールの回転を停止させる制御を行ってリール４０Ｌ，４０Ｃ及び４０Ｒが停止し、停止した時に入賞ラインＬが通過する停止表示位置に停止表示された３つの図柄からなる組み合わせが何れかの役に対応していた時にその役が入賞したことになるスロットマシン１０において、
単位遊技中に表示される演出画像、役抽選の結果を報知するための演出画像、単位遊技の進行に応じた演出画像等を表示する表示装置７０と、
表示装置７０とは別個に設けられ、擬似遊技演出が行われている間のみ点灯する専用のランプと、
リール４０Ｌ，４０Ｃ，４０Ｒの回転駆動に関する制御を行うリール制御手段１２０と、リール制御手段１２０に含まれリールの停止制御を行うリール停止制御手段１２２と、
を備え、
擬似遊技演出が行われる場合は、単位遊技においてスタートスイッチ３６が操作され、役抽選が行われた後、擬似遊技演出処理が行われ、全リールの回転が開始され、ストップスイッチ３７Ｌ，３７Ｃ，３７Ｒが操作されるとリール４０Ｌ，４０Ｃ，４０Ｒにおける図柄が入賞ラインＬ上に停止表示され、小刻みに上下動し（以下、揺れ変動という）、
クリア処理が行われ、擬似遊技演出制御処理が終了し、各リールの揺れ変動が停止すると、リールの回転制御が行われ、それぞれのリールが回転を開始してから全てのリールが定速に達すると、ストップスイッチの操作受付状態となり、ストップスイッチ３７Ｌ，３７Ｃ，３７Ｒが停止操作されると、リール４０Ｌ，４０Ｃ，４０Ｒの停止制御が行われ、その回転が停止し、停止した時に入賞ラインＬが通過する停止表示位置に停止表示される、
スロットマシン１０。」
　
という発明（以下、刊行物１記載の発明という）が開示されていると認める。 
　
　（２）本件補正発明と刊行物１記載の発明との対比
　
　本件補正発明と刊行物１記載の発明とを対比する。
　
　（ア）刊行物１記載の発明における「２１種類の図柄が外周面に印刷されたリール４０Ｌ，４０Ｃ及び４０Ｒが回転し」、「回転している複数のリールが停止されたとき表示された図柄の組み合わせによって遊技の結果が定まる」こと、「役抽選手段１１０により、スタートスイッチ３６の操作に応じて予め定められた役のうちいずれか１つまたは複数の役を当選した役とするか否かを定めるものであり」は、本件補正発明の「複数の図柄が外周に配置された複数の回胴を回転させる」「図柄表示ゲーム」「で役を決定し」に相当する。 
　（イ）刊行物１記載の発明における「ストップスイッチ３７Ｌ，３７Ｃ，３７Ｒを押動操作した時には、通常遊技中は、操作されたストップスイッチに対応するリールの回転を停止させる制御を行ってリール４０Ｌ，４０Ｃ及び４０Ｒが停止し」「停止した時に入賞ラインＬが通過する停止表示位置に停止表示された３つの図柄からなる組み合わせが何れかの役に対応していた時にその役が入賞したことになるスロットマシン１０」は、本件補正発明における「複数の回胴に対応して設けられた停止スイッチが操作されると、対応する回胴を停止させ」「全ての回胴が停止したときに導出された図柄の表示結果に応じて入賞が発生する遊技機」に相当する。
　（ウ）刊行物１記載の発明における「単位遊技中に表示される演出画像、役抽選の結果を報知するための演出画像、単位遊技の進行に応じた演出画像等を表示する表示装置７０」は本件補正発明の「図柄表示ゲームに関する各種映像演出を行う表示演出装置」に相当する。
　（エ）刊行物１記載の発明における「表示装置７０とは別個に設けられ、擬似遊技演出が行われている間のみ点灯する専用のランプ」について、擬似遊技演出が行われる場合は、リール４０Ｌ，４０Ｃ，４０Ｒにおける図柄が入賞ラインＬ上に停止表示され小刻みに上下動していることから、擬似遊技演出とは複数のリールを用いたリール演出であると言うことができ、当該ランプはリール演出中にのみ点灯するものといえる。
　また、スタートスイッチ３６が操作され、役抽選が行われた後、擬似遊技演出処理が行われることから、当該は、図柄変動ゲームが開始してから点灯するものであるといえる。
　そうすると、当該「専用のランプ」は、本件補正発明の「前記表示演出装置と別個に設けられ、前記複数の回胴を用いたリール演出中であるか否かを点灯又は消灯することにより表示する演出中表示部」であり、「図柄表示ゲームを開始してから複数の回胴のいずれか一つに図柄の表示結果が導出されるより前の期間に、前記演出中表示部が点灯することによりリール演出中であることを表示」するものに相当する。
　（オ）刊行物１記載の発明における「リール４０Ｌ，４０Ｃ，４０Ｒの回転駆動に関する制御を行うリール制御手段１２０と、リール制御手段１２０に含まれリールの停止制御を行うリール停止制御手段１２２」について、リール停止制御手段１２２はリール制御手段１２０に含まれることから、刊行物１記載の発明における「リール制御手段」は「リールの回転駆動に関する制御とリールの回転を停止させる制御を行う」ということができるから、本件補正発明の「複数の回動を回転させる制御及び回転している回胴を停止させる制御手段」に相当する。
　（カ）刊行物１記載の発明における「擬似遊技演出処理が行われ、全リールの回転が開始され」「ストップスイッチ３７Ｌ，３７Ｃ，３７Ｒが操作されるとリール４０Ｌ，４０Ｃ，４０Ｒにおける図柄が入賞ラインＬ上に停止表示され小刻みに上下動し（以下、揺れ変動という）」ていることは、本件補正発明の「回胴がリール演出の為に回転している状態」「前記停止スイッチが操作されると、前記制御手段は対応する回胴を仮停止させて、該仮停止により前記複数の回胴が上下に微動を続ける制御を行う」ことに相当する。
　（キ）上記（エ）より、刊行物１記載の発明において、リール演出が行われている間のみ点灯する専用のランプは、リール演出中ではない状態では消灯していることが、上記（オ）より、刊行物１記載の発明におけるリールの回転制御や停止制御はリール制御手段１２０により行われることが、それぞれいえるから、この点を踏まえると、刊行物１記載の発明における「クリア処理が行われ、擬似遊技演出制御処理が終了し、各リールの揺れ変動が停止する」、「リールの回転制御が行われ、それぞれのリールが回転を開始してから全てのリールが定速に達する」、「ストップスイッチ３７Ｌ，３７Ｃ，３７Ｒが停止操作されると、リール４０Ｌ，４０Ｃ，４０Ｒの停止制御が行われ、その回転が停止し、停止した時に入賞ラインＬが通過する停止表示位置に停止表示される」ことは、本件補正発明における「複数の回胴によるリール演出が終了し、前記演出中表示部が消灯した状態」「前記制御手段は前記複数の回胴の回転が所定速度になるように制御し」「この回転状態で前記停止スイッチが操作されると、対応する回胴を停止させる制御を行って図柄の表示結果を導出する」ことに相当する。
　以上のことから、本件補正発明と刊行物１記載の発明は一致し、相違点はない。また、仮に存在していたとしても、本件補正発明は、刊行物１記載の発明に基づき当業者が容易になしえたものである。
　（３）小括
　したがって、本件補正発明は、刊行物１に記載された発明であるから、特許法第２９条第１項第３号に該当し、特許出願の際独立して特許を受けることができないものであるか、刊行物１記載の発明に基づいて当業者が容易に発明をすることができたものであるから、特許法第２９条第２項の規定により特許出願の際独立して特許を受けることができないものである。
　４．むすび
　よって、本件補正は、特許法第１７条の２第６項において準用する同法第１２６条第７項の規定に違反するので、同法第１５９条第１項において読み替えて準用する同法第５３条第１項の規定により却下すべきものである。 
第３　本願発明について
　１．本願発明
　本件補正は上記のとおり却下されたので、本願の請求項１，２に係る発明は、平成２６年１２月２日付けの手続補正書により補正された、特許請求の範囲の請求項１，２に記載された事項により特定されるところ、その請求項２に係る発明（以下、「本願発明」という）は、上記第２の１．において記載した次のとおりのものである。
「複数の図柄が外周に配置された複数の回胴を回転させる図柄表示ゲームで役を決定し、複数の回胴に対応して設けられた停止スイッチが操作されると、対応する回胴を停止させ、全ての回胴が停止したときに導出された図柄の表示結果に応じて入賞が発生する遊技機において、
前記図柄表示ゲームに関する各種映像演出を行う表示演出装置と、
前記表示演出装置と別個に設けられ、前記複数の回胴を用いたリール演出中であるか否かを点灯又は消灯することにより表示する演出中表示部と、
前記複数の回胴を回転させる制御及び回転している回胴を停止させる制御を行う制御手段と、
を具備し、
前記図柄表示ゲームを開始してから前記複数の回胴のいずれか一つに図柄の表示結果が導出されるより前の期間において、前記演出中表示部が点灯することによりリール演出中であることを表示し、前記回胴がリール演出の為に回転している状態では、前記停止スイッチが操作されると、前記制御手段は対応する回胴を仮停止させて、前記複数の回胴が上下に微動を続ける制御を行う一方、該リール演出が終了し、前記演出中表示部が消灯した状態では、前記制御手段は前記複数の回胴の回転が所定速度になるように制御し、この回転状態で前記停止スイッチが操作されると、対応する回胴を停止させる制御を行って、図柄の表示結果を導出すること、
を特徴とする遊技機。」
　２．拒絶理由通知の概要
　平成２７年２月２０日付け拒絶理由通知は、本願発明は、上記刊行物１である特開２０１４−１２４４１８号公報に示された発明であるから特許法第２９条第１項第３号の規定により特許を受けることができない、もしくは、上記刊行物１記載の発明に基づき当業者が容易に発明をすることができたものであるから特許法第２９条第２項の規定により特許を受けることができないというものである。
　３．刊行物及び刊行物の発明
　刊行物１記載の発明の認定は前記「第２　平成２７年１０月２日付けの手続補正についての補正却下の決定」の「３．独立特許要件」に記載したとおりである。 
　４．対比・判断
　本願発明は、前記「第２　平成２７年１０月２日付けの手続補正についての補正却下の決定」の「３．独立特許要件」で検討した本件補正発明から、「複数の回胴を用いた演出」を「複数の回胴を用いたリール演出」にする限定、「演出中であることを表示」を「リール演出中であることを表示」にする限定、「回胴が演出の為に」を「回胴がリール演出の為に」にする限定、「対応する回胴を仮停止させる制御」を「対応する回胴を仮停止させて、前記複数の回胴が上下に微動を続ける制御」にする限定、「該演出が終了し」を「該リール演出が終了し」にする限定を削除したものである。
　そうすると，本願発明の構成要件をすべて含み，さらに他の限定を付加したものに相当する本件補正発明が，前記第２の３．に記載したとおり，刊行物１記載の発明であるか、刊行物１記載の発明に基づき当業者が容易に発明をすることができたものであるから，本願発明も同様の理由により，刊行物１記載の発明であるか、刊行物１記載の発明に基づいて当業者が容易に発明をすることができたものである。
　５．むすび 
　以上のとおり，本願発明は，刊行物１記載の発明であるか、刊行物１記載の発明に基づいて当業者が容易に発明をすることができたものであるから，特許法第２９条第１号第３項の規定または特許法第２９条第２項の規定により特許を受けることができない。
　したがって，その余の請求項について検討するまでもなく、本願は拒絶されるべきものである。
　よって，結論のとおり審決する。